(57)【要約】      （修正有）【課題】広告放映から生じる広告収入の一部還元及び生活に密着した情報・公報等を放映して、視聴者にメリットを与え、そのメリットによって従来視聴していた広告の煩わしさを和らげる効果をもたらすテレビを提供する。【解決手段】従来のテレビ用モニターとは別に、テレビにパーソナルコンピューターを内蔵し、該モニターの外周部分に放送による広告放映及びネット配信放映の２種類の方法が可能な広告専用モニターを装着して、テレビ用モニターと広告モニターが同時に稼動して、従来のテレビモニターにテレビ放映とテレビ放映を中断して広告が放映される時間と同時間、該広告専用モニターに広告放映及び生活に密着した情報・公報等が放映及びネット配信の２種類での放映がされる。【選択図】図１
0003146470.tif 000002
【実用新案登録請求の範囲】
【請求項１】
現在のテレビ放送と広告用放送を同時に行うことが可能な装置を装着した新しいテレビ（以下「アドテレビ」という）を製作するもので、現在のテレビ放送は、テレビ放送の途中にテレビ放送を中止して、広告用のテレビ放送を放映するシステムであるが、本考案は、テレビ画像表示装置（以下「モニター」という）の周囲に広告用専用のモニター）を設置して、テレビ用電源スイッチをオンにすると同時に、自動的に広告用電源スイッチがオンになるように連結し、それぞれのテレビ用モニター及び広告用モニターが、同時に別々の内容を放映（音声を含む）するように、画像表示機器を内蔵装着して、テレビ放映時間と同時間、新しい独自の広告の放映を行うアドテレビ。
【請求項２】
上記表示の広告専用のモニターに、放送用の受信機能の他にネット送信のメール受信機能をモニター裏側に内蔵させネット配信による画像及び音声を映し出し、テレビ放送用とネット配信の２種類の方法を使用して広告を行なうアドテレビ。
【考案の詳細な説明】
【技術分野】
【０００１】  本考案は、現在使用しているテレビに替えて、アドテレビ（本考案によるテレビ名称）という名称のテレビ放映と広告用放映を同時に行える画像表示装置を設置したテレビであり、該アドテレビを使用して新たな広告を行うもので、その該アドテレビには、テレビ用画像表示装置であるモニター（１）の周囲に広告用画像表示装置であるモニター（３）を設置し、外部のテレビ放映のテレビ用電源スイッチ（７）と内蔵している広告用電源スイッチ（８）を連結して、テレビ放映と同時に広告用放映ができるようにして、尚、広告用放映が本来のテレビ放映の支障にならないように広告用画像と音声を調節した広告放映及び生活に密着した情報・公報等を、テレビ放映と同時に行なって、新しい広告をすることを主体にしたテレビ用及び広告用同時放映のアドテレビの製作。
上記とは別に、広告専用モニターと内蔵するパーソナルコンピューターを接続し、有線及び無線によるネット配信を受信する機能を装着させ、ネット配信をして、テレビ放送とネット配信の２種類の方法にて広告を該広告専用モニターに映し出して広告をする。
【背景技術】
【０００２】  一般に、現在の民間によるテレビ放映は、テレビ放映と広告放映が同時に行われないで、テレビ放映を中断して広告の放映が別々に行われており、この広告の放映によって民放テレビ経営が成り立って、民放が行われているのが現状である。  一面、民放テレビには（公序良俗違反につき、不掲載）の公共放送にない楽しさや面白さがあるが、しかし、やはりテレビ視聴者にとって、広告の時間帯は煩わしいものであると感じる等、不便がある。
【考案の開示】
【考案が解決しようとする課題】
【０００３】  本考案は、上記従来のテレビによる広告時間帯の煩わしさ等の不便のみを感じる欠点の解決を図るもので、その目的は、広告の煩わしさ等の不便さ以上に、新しい本考案による広告放映から生じる広告収入の一部還元及び生活に密着した情報・公報等を放映して、視聴者にメリットを与え、そのメリットによって従来視聴していた広告の煩わしさを和らげる効果をもたらす解決策を持った広告をすること。
【課題を解決するための手段】
【０００４】  上記目的を解決するために、本考案のアドテレビは、テレビモニターの周囲に広告専用のモニターを配置して、テレビスイッチをオンにすると同時に、広告用モニターもスイッチがオンになり、テレビモニターが放映される時間に、テレビモニターでの広告以外に独自の広告を放映して、広告収入を図り、その収入の一部を視聴者に還元できるようにして、広告時間帯の視聴に対する煩わしさ感を和らげるものとしたアドテレビの製作。
上記の他に、広告専用モニターに内蔵するパーソナルコンピューターを接続し、有線及び無線によるネット配信を受信する機能を装着させ、ネット配信を使用して、画像と音声を該広告専用モニターに映し出して広告をする。放送局による画像表示及びネット配信による画像表示の２種類の画像表示を行ない、広告をすることができる。
【考案の効果】
【０００５】  現在行われているテレビ放映を中断してその同じテレビモニターに広告を放映する広告以外に、本考案は、テレビスイッチがオンになっている時間帯に、新しくテレビモニターとは別に、広告専用のモニターに広告放映及び生活に密着した情報・公報等を独自に放映することで、新しいアドテレビが持つ情報等を通知する利便性の外に広告収入の一部を、アドテレビ所有者に還元する。例えば、テレビ放映時間に応じたポイント制による現金を還元する、電気代の一部を自動的に負担して還元する、又は、テレビの製造会社が、そのアドテレビから得る広告収入を予測してその分安く販売して還元する等、現在のテレビ所有者が得られないアドテレビ所有者のみが利益を得られる効果がある。
【考案を実施するための最良の形態】
【０００６】  本考案の最良の用法を説明すると、アドテレビのスイッチをオンにすると同時に、広告専用のモニターがスイッチオンとなるように連結して、該テレビに内蔵されたパーソナルコンピューターを広告専用モニターに接続し、広告専用の受信機及びネット配信機能を使用して、テレビ放映時に広告及び生活に必要な情報を放映するが、その広告の放映に際しては、テレビ放映の視聴に支障の無いように、画像及び音声を調節した広告を広告専用モニターに放映して、独自の広告と利便性を与えるようにする。
【実施例】
【０００７】  本考案の実施例を図面について説明すると、図１には、アドテレビのテレビ専用放映のモニター（１）には、画面を保護する外枠（２）、広告専用放映のモニター（３）、アドテレビ内部（裏側）にテレビ専用画像音声放映装置（４）と広告専用画像音声放映装置（５）、外部からのネット配信の受信装置（６）を内蔵させ、外部にテレビ用電源スイッチ（７）、内部に広告専用電源スイッチ（８）を装着させ、テレビ用電源スイッチ（７）と広告専用電源スイッチ（８）は連結してテレビ用電源スイッチと同時に電源が、オン、オフとなるように配線する。
以上の装置を持ったテレビを視聴する他に、同時に別に広告専用のモニターで広告の放映及び無線ネット配信による広告の２種類の広告を行う。
【図面の簡単な説明】
【０００８】
【図１】アドテレビの装置装着製作正面図
【図２】アドテレビの装置装着製作断面図
【符号の説明】
【０００９】１    テレビ画像表示（モニター）装置
２    外枠
３    広告用画像表示（モニター）装置
４    テレビ専用画像音声放映装置
５    広告専用画像音声放映装置
６    パーソナルコンピューターによるネット配信の受信装置
７    テレビ用電源スィッチ
８    広告用電源スィッチ
【図１】
0003146470.tif 000003
【図２】
0003146470.tif 000004
【手続補正書】
【提出日】平成20年8月19日(2008.8.19)
【手続補正１】
【補正対象書類名】実用新案登録請求の範囲
【補正対象項目名】全文
【補正方法】変更
【補正の内容】
【実用新案登録請求の範囲】
【請求項１】
画面を保持する外枠（２）を形成し、該外枠（２）には、外部にテレビ用電源スイッチ（７）を設けると共に、内部にテレビ画像モニター（１）を装設し、該テレビ画像モニター（１）には、上部、下部及び左側、右側の外周に大小異なる形状の広告用画像モニター（３）（３）…を複数個装設し、該テレビ画像モニター（１）と該広告用画像モニター（３）（３）の裏面側には、テレビ専用画像音声放映器（４）と、広告専用画像音声放映器（５）を収納し、且つ該外枠（２）の内部に該テレビ用電源スイッチ（７）と連動する広告用電源スイッチ（８）を装設した事を特徴とするテレビ画像と広告用画像とよりなるアドテレビ。
【請求項２】
請求項１における該広告用画像モニター（３）（３）には、パーソナルコンピューターを接続し、有線及び無線によるネット配信の受信機器（６）を裏側に内蔵させた事を特徴とする請求項１のテレビ画像と広告用画像とよりなるアドテレビ。
【手続補正２】
【補正対象書類名】明細書
【補正対象項目名】全文
【補正方法】変更
【補正の内容】
【考案の詳細な説明】
【技術分野】
【０００１】  本考案は、現在使用されているテレビの画像を、テレビ放映と広告用放映とを同時に実施できる画像モニターを設置したテレビを使用して、広告用放映が本来のテレビ放映の支障にならないように広告用画像と音声を調節した、広告用放映及び生活に密着した情報、公報等をテレビ放映と同時に行って新しい広告をする、テレビ画像と広告用画像とよりなるアドテレビに関するものである。
【背景技術】
【０００２】  一般に、現在の民間によるテレビ放映は、テレビ放映と広告放映が同時に行われないで、テレビ放映を中断して広告の放映が別々に行われており、この広告の放映によって民放テレビ経営が成り立って、民放が行われているのが現状である。
一面、民放テレビには公共放送にない楽しさや面白さがあるが、しかし、やはりテレビ視聴者にとって、広告の時間帯は煩わしいものであると感じる等の不便があるものである。
【考案の開示】
【考案が解決しようとする課題】
【０００３】  本考案は、上記従来の欠点である、テレビにおける広告時間帯の煩わしさ等の不便のみを感じる問題を解決するものであって、その主たる目的とする所は、広告放映から生じる広告収入の一部の還元または生活に密着した情報等を放映して、視聴者に対してメリットを与えると共に、そのメリットによって従来視聴していた広告の煩わしさを和らげる広告とするテレビ画像と広告用画像とよりなるアドテレビを提供しようとするものである。
【課題を解決するための手段】
【０００４】  上記目的を達成するために、本考案のアドテレビによれば、テレビ画像モニターの外周囲に広告用画像モニターを配置して、テレビ用電源スイッチをオンにすると同時に、広告用画像モニターもスイッチがオンになり、テレビ画像モニターが放映される時間に、テレビ画像モニターでの広告以外にも独自の広告を放映して、広告収入を図り、その収入の一部を視聴者に還元できるようにして、広告時間帯の視聴に対する煩わしさを和らげることができるものである。
また、広告用画像モニターに内蔵するパーソナルコンピューターによるネット配信の受信器を接続して、有線及び無線による該ネット配信を受信する機能を使用して、画像と音声を該広告用画像モニターに映し出して広告するものである。
更に、放送局による画像表示及びネット配信による画像表示の２種類の画像表示を行って、広告をすることもできる。
【考案の効果】
【０００５】  本考案は、テレビ画像モニターの外周の上部、下部、左側、右側に大小異なる形状の広告用画像モニターを装設したことにより、従来の如く、テレビ放映を途中で中断して広告用画像を放映する必要がない便利な効果と、広告用画像モニターを大小各々の複数の形状にして自由に配設できると共に、複数の各々の広告用画像モニターに異なる広告の放映が自由にできると云う便利な効果がある。
また、広告用画像モニターに内蔵するパーソナルコンピューターによる配信の受信器を接続してあるので、画像と音声とを広告用画像モニターに容易に映し出して広告をする事ができる便利な効果もある。
更に、本考案は、テレビスイッチがオンになっている時間帯に、新しくテレビ画像モニターとは別に、広告用画像モニターに広告放映及び生活に密着した情報、公報等を独自に放映することで、新しいアドテレビが持つ情報等を通知する利便性の外に広告収入の一部を、アドテレビ所有者に還元することも出来る効果もある。
そして、１例として、テレビ放映時間に応じたポイント制による現金を還元する、電気代の一部を自動的に負担して還元する、又は、テレビの製造会社が、そのアドテレビから得る広告収入を予測してその分安く販売して還元する等、現在のテレビ所有者が得られないアドテレビ所有者のみが利益を得られると云う効果もある。
【考案を実施するための最良の形態】
【０００６】  本考案の最良の用法を説明すると、アドテレビの電源スイッチをオンにすると同時に、広告用画像モニターがスイッチオンとなるように連結して、該広告用画像モニターの裏側に内蔵されたパーソナルコンピューターを広告用画像モニターに接続し、広告専用の受信器及びネット配信機能を使用して、テレビ放映時に広告及び生活に必要な情報を放映するが、その広告の放映に際しては、テレビ放映の視聴に支障の無いように、画像及び音声を調節した広告を広告用画像モニターに放映して、独自の広告により利便性を与えるように働くものである。
以上の装置を持ったテレビを視聴する他に、同時に別に広告用画像モニターで広告の放映及び無線ネット配信による広告の２種類の広告を行うことが出来るものである。
【実施例】
【０００７】  次に本案の実施例を図面について説明すると、図１に示すものは、アドテレビのテレビ専用放映のテレビ専用放映のテレビ画像モニター（１）には、アドテレビの画面を保護する方形等よりなる外枠（２）を構成する。該外枠（２）には、外部の所定位置にテレビ用電源スイッチ（７）を設けると共に、内部中央に該テレビ画像モニター（１）を設置する。該テレビ画像モニター（１）には、上部、下部及び左側、右側に大小異なった形状の広告用画像モニター（３）（３）…を装設してある。
次に、図２に示す実施例のものでは、アドテレビのテレビ画像モニター（１）と、広告用画像モニター（３）（３）との該外枠（２）の内部裏側には、テレビ専用画像音声放映器（４）と、広告専用画像音声放映器（５）を収納配設してある。
また、該アドテレビの裏面側には、外部からパーソナルコンピューターによるネット配信の受信機器（６）を内蔵してある。該テレビ用電源スイッチ（７）は、アドテレビの裏面側の内部に装設してある広告用電源スイッチ（８）と連結して接続され、該テレビ用電源スイッチ（７）と同時に電源が、オン、オフになるように配線されている。
【図面の簡単な説明】
【０００８】
【図１】  アドテレビにおける内部を示す正面図である。
【図２】  同じくアドテレビの内部を開示した縦断側面図である。
【符号の説明】
【０００９】１    テレビ画像モニター
２    外枠
３    広告用画像モニター
４    テレビ専用画像音声放映器
５    広告専用画像音声放映器
６    ネット配信受信器
７    テレビ用電源スイッチ
８    広告用電源スイッチ